(57)【要約】      （修正有）【課題】光ディスク再生装置に関し、特に壁掛け型光ディスク再生装置を提供する。【解決手段】壁に設置される本体１００と、本体に回転可能に設置され、本体から突出する光ディスクドライブ１１０とを含む光ディスク再生装置を構成する。光ディスクドライブは、回転力を発生させる駆動モーターと、駆動モーターによって回転する駆動ギアと、本体に設置され、駆動ギアと噛み合いながら光ディスクドライブを回転させるカムギアとを含む、駆動装置をさらに備える。【選択図】図１
2010067338.tif 000002
【特許請求の範囲】
【請求項１】
壁に設置される本体と、
前記本体に回転可能に設置され、前記本体から突出する光ディスクドライブと、
を含むことを特徴とする光ディスク再生装置。
【請求項２】
前記光ディスクドライブを回転させる駆動装置をさらに含み、
前記駆動装置は、回転力を発生させる駆動モーターと、前記駆動モーターによって回転する駆動ギアと、前記本体に設置され、前記駆動ギアと噛み合いながら前記光ディスクドライブを回転させるカムギアと、を含むことを特徴とする、請求項１に記載の光ディスク再生装置。
【請求項３】
前記カムギアは、前記駆動ギアと噛み合う歯を有し、前記光ディスクドライブの移動を案内するカム部を含み、
前記カム部は、前後方向に延在し、前記光ディスクドライブの直線移動を案内する移動区間と、弧状に延長され、前記光ディスクドライブの回転を案内する回転区間と、を含むことを特徴とする、請求項２に記載の光ディスク再生装置。
【請求項４】
前記光ディスクドライブは、前記カムギア内で前後移動及び回転するヒンジ突起と、前記光ディスクドライブの回転を案内する案内突起と、を含み、
前記カムギアは、前後方向に延在し、前記ヒンジ突起を前後移動及び回転させるヒンジ設置孔と、前記ヒンジ設置孔から円周方向に延長され、前記案内突起の直線移動及び円周方向移動を案内する案内孔と、を含むことを特徴とする、請求項３に記載の光ディスク再生装置。
【請求項５】
前記光ディスクドライブを回転させながら前後移動させる駆動装置をさらに含み、
前記駆動装置は、回転力を発生させる駆動モーターと、前記駆動モーターによって回転する駆動ギアと、前記本体に設置され、前記駆動ギアと噛み合いながら前記光ディスクドライブの直線移動及び回転を案内するカムギアと、を含むことを特徴とする、請求項１に記載の光ディスク再生装置。
【請求項６】
前記カムギアは、前記駆動ギアと噛み合う歯を有し、前記光ディスクドライブの移動を案内するカム部を含み、
前記カム部は、前後方向に延在し、前記光ディスクドライブの直線移動を案内する移動区間と、弧形状に延長され、前記光ディスクドライブの回転を案内する回転区間と、を含むことを特徴とする、請求項５に記載の光ディスク再生装置。
【請求項７】
前記光ディスクドライブは、前記カムギアに移動可能及び回転可能に設置されるヒンジ突起と、前記光ディスクドライブの直線移動及び回転を案内する案内突起と、を含み、
前記カムギアは、前後方向に延在し、前記ヒンジ突起を前後移動及び回転させるヒンジ設置孔と、前記ヒンジ設置孔から延長され、前記案内突起の直線移動及び円周方向移動を案内する案内孔と、を含むことを特徴とする、請求項６に記載の光ディスク再生装置。
【請求項８】
各案内孔は、前後方向に延在する並進案内部と、前記並進案内部の前端から円周方向に延長された回転案内部と、を含むことを特徴とする、請求項４及び７に記載の光ディスク再生装置。
【請求項９】
前記案内突起は、一対として前記ヒンジ突起の両側に設けられ、前記案内孔は、前記ヒンジ設置孔の前方及び後方側に形成されることを特徴とする、請求項４及び７に記載の光ディスク再生装置。
【請求項１０】
前記本体に設置され、前記光ディスクから再生された音響を出力するスピーカーをさらに含むことを特徴とする、請求項１に記載の光ディスク再生装置。
【請求項１１】
前記光ディスクドライブは、その外観を形成するドライブハウジングを含み、
前記本体には、前記ドライブハウジングに対応する形状を有し、前記光ディスクドライブを収容する凹状の収容部が設けられることを特徴とする、請求項１に記載の光ディスク再生装置。
【請求項１２】
前記光ディスクドライブは、内部部品が設置され、前記ドライブハウジングが移動可能に設置される内部フレームと、前記ドライブハウジングに設置され、前記ドライブハウジングを前記内部フレームに対して移動させるガイドピンと、前記内部フレームに設けられ、前記ガイドピンの移動を案内するガイドスロットと、第１端が前記内部フレームに設置され、第２端が前記ドライブハウジングに設置される弾性部材と、をさらに含むことを特徴とする、請求項１１に記載の光ディスク再生装置。
【発明の詳細な説明】
【技術分野】
【０００１】
本発明は、光ディスク再生装置に関し、より詳細には、壁掛け型光ディスク再生装置に関する。
【背景技術】
【０００２】
光ディスク再生装置は、ＣＤ（Ｃｏｍｐａｃｔ  Ｄｉｓｋ）またはＤＶＤ（Ｄｉｇｉｔａｌ  Ｖｅｒｓａｔｉｌｅ  Ｄｉｓｋ）などの光ディスク上に記録された情報を読む装置である。
【０００３】
一般的に、このような光ディスク再生装置は、光ディスク上に記録された情報を再生する光ディスクドライブを含む。さらに、光ディスク再生装置は、テレビまたはスピーカーなどのＡＶ（Ａｕｄｉｏ―Ｖｉｓｕａｌ）機器に連結され、光ディスクドライブを通して再生された映像情報または音響情報を映像または音響の形態でＡＶ機器を通して再生する。
【０００４】
近年、光ディスク再生装置は、デザイン向上のためにスリム化される傾向があり、光ディスク再生装置によって占有される空間を減少させる方向に開発が進んでいる。光ディスク再生装置の厚さが充分に減少した現状では、光ディスク再生装置によって占有される空間を壁掛け型テレビと同程度に減少された壁掛け型光ディスク再生装置に対するニーズが高まっている。
【発明の概要】
【発明が解決しようとする課題】
【０００５】
したがって、本発明の目的は、壁掛け型光ディスク再生装置を提供することにある。
【課題を解決するための手段】
【０００６】
このような目的を達成するための本発明の一実施形態に係る光ディスク再生装置は、壁に設置される本体と、前記本体に回転可能に設置され、前記本体から突出する光ディスクドライブとを含むことを特徴とする。
【０００７】
また、前記光ディスクドライブを回転させる駆動装置をさらに含み、前記駆動装置は、回転力を発生させる駆動モーターと、前記駆動モーターによって回転する駆動ギアと、前記本体に設置され、前記駆動ギアと噛み合いながら前記光ディスクドライブを回転させるカムギアとを含むことを特徴とする。
【０００８】
また、前記カムギアは、前記駆動ギアと噛み合う歯を有し、前記光ディスクドライブの移動を案内するカム部を含み、前記カム部は、前後方向に延在し、前記光ディスクドライブの直線移動を案内する移動区間と、弧状に延長され、前記光ディスクドライブの回転を案内する回転区間とを含むことを特徴とする。
【０００９】
また、前記光ディスクドライブは、前記カムギア内で前後移動及び回転するヒンジ突起と、前記光ディスクドライブの回転を案内する案内突起とを含み、前記カムギアは、前後方向に延在し、前記ヒンジ突起を前後移動及び回転させるヒンジ設置孔と、前記ヒンジ設置孔から円周方向に延長され、前記案内突起の直線移動及び円周方向移動を案内する案内孔とを含むことを特徴とする。
【００１０】
また、光ディスクドライブを回転させながら前後移動させる駆動装置をさらに含み、前記駆動装置は、回転力を発生させる駆動モーターと、前記駆動モーターによって回転する駆動ギアと、前記本体に設置され、前記駆動ギアと噛み合いながら前記光ディスクドライブの直線移動及び回転を案内するカムギアとを含むことを特徴とする。
【００１１】
また、前記カムギアは、前記駆動ギアと噛み合う歯を有し、前記光ディスクドライブの移動を案内するカム部を含み、前記カム部は、前後方向に延在し、前記光ディスクドライブの直線移動を案内する移動区間と、弧形状に延長され、前記光ディスクドライブの回転を案内する回転区間とを含むことを特徴とする。
【００１２】
また、前記光ディスクドライブは、前記カムギアに移動可能及び回転可能に設置されるヒンジ突起と、前記光ディスクドライブの直線移動及び回転を案内する案内突起とを含み、前記カムギアは、前後方向に延在し、前記ヒンジ突起を前後移動及び回転させるヒンジ設置孔と、前記ヒンジ設置孔から延長され、前記案内突起の直線移動及び円周方向移動を案内する案内孔とを含むことを特徴とする。
【００１３】
また、前記各案内孔は、前後方向に延在する並進案内部と、前記並進案内部の前端から円周方向に延長された回転案内部とを含むことを特徴とする。
【００１４】
また、前記案内突起は、一対として前記ヒンジ突起の両側に設けられ、前記案内孔は、前記ヒンジ設置孔の前方及び後方側に形成されることを特徴とする。
【００１５】
また、前記本体に設置され、前記光ディスクから再生された音響を出力するスピーカーをさらに含むことを特徴とする。
【００１６】
また、前記光ディスクドライブは、その外観を形成するドライブハウジングを含み、前記本体には、前記ドライブハウジングに対応する形状を有し、前記光ディスクドライブを収容する凹状の収容部が設けられることを特徴とする。
【００１７】
また、前記光ディスクドライブは、内部部品が設置され、前記ドライブハウジングが移動可能に設置される内部フレームと、前記ドライブハウジングに設置され、前記ドライブハウジングを前記内部フレームに対して移動させるガイドピンと、前記内部フレームに設けられ、前記ガイドピンの移動を案内するガイドスロットと、第１端が前記内部フレームに設置され、第２端が前記ドライブハウジングに設置される弾性部材とをさらに含むことを特徴とする。
【発明の効果】
【００１８】
本発明によると、壁掛け型光ディスク再生装置を提供することができる。
【図面の簡単な説明】
【００１９】
【図１】本発明の一の実施形態に係る光ディスク再生装置の設置状態を示した斜視図である。
【図２】本発明の一の実施形態に係る光ディスク再生装置において、光ディスクドライブが前方に移動した状態を示した斜視図である。
【図３】本発明の一の実施形態に係る光ディスク再生装置において、光ディスクドライブが回転および突出した状態を示した斜視図である。
【図４】本発明の一の実施形態に係る光ディスク再生装置に適用された光ディスクドライブの分解斜視図である。
【図５】本発明の一の実施形態に係る光ディスク再生装置に適用された光ディスクドライブ及びカムギアの設置状態を示した分解斜視図である。
【図６】本発明の一の実施形態に係る光ディスク再生装置に適用された光ディスクドライブとカムギアとの相互動作を示した部分拡大図である。
【図７】本発明の一の実施形態に係る光ディスク再生装置に適用された光ディスクドライブとカムギアとの相互動作を示した部分拡大図である。
【図８】本発明の一の実施形態に係る光ディスク再生装置に適用された光ディスクドライブとカムギアとの相互動作を示した部分拡大図である。
【発明を実施するための形態】
【００２０】
以下、本発明に係る好適な一の実施形態を、添付された図面を参照して詳細に説明する。
【００２１】
図１に示すように、本実施例に係る光ディスク再生装置１０は、壁掛け型テレビ２０の下部に設置される。光ディスク再生装置１０は、厚さの薄い本体１００と、光ディスクドライブ１１０とを含み、建物または他の壁型構造の壁面Ｗに壁掛け方式で設置される。本体は、壁掛け型でなく、独立型装置として、テレビまたは他の画像表示装置に隣接して、もしくはテレビまたは他の画像表示装置から離れた台座に設置することができる。光ディスクドライブ１１０は、光ディスクＤが光ディスクドライブ１１０内に挿入できるように、本体１００の前面中央から突出するように動作する。さらに、光ディスク再生装置１０は、パーソナルコンピュータまたはラップトップコンピュータで使用するための光ディスクレコーダー、デュアル再生／レコーダー装置、またはＤＶＤバーナー型装置である。
【００２２】
図３に示すように、光ディスクドライブ１１０を収容するために、光ディスクドライブ１１０に対応する形状を有する凹状の収容部１００ａが、本体１００の上面Ｔの前面中央側に設けられる。また、光ディスクＤから再生された音響を出力するために、一対のスピーカー１２０が本体１００の前面両側に配置され、光ディスク再生装置１０によって再生された音響情報がスピーカー１２０を通して出力される。
【００２３】
光ディスクドライブ１１０の位置は、本体１００の上面Ｔに近い前面中央に限定されることはなく、光ディスクドライブ１１０は、本体１００の中央または底部に近い前面２２０の中央に位置することができる。さらに、光ディスクドライブは、テレビの位置、他の接続装置、もしくは部屋の大きさまたは配置によって近接性及び位置決めオプションを最大化するために、本体１００の両側Ｓにまたは、両側Ｓの近くに位置することができる。
【００２４】
図３及び図４に示すように、光ディスクドライブ１１０は、長方形の箱状に形成される。さらに、光ディスクドライブ１１０は、その上端に、光ディスクＤが挿入されるディスク挿入口１１０ａが設けられたドライブハウジング１４５と、ドライブハウジング１４５内に設置され、光ディスクドライブ１１０の各種の部品が設置される空間を設ける第１内部フレーム１１３、及び第２内部フレーム１１４とを含む。第１及び第２内部フレーム１１３、１１４内には、ターンテーブル１１５及び光ピックアップ（図示せず）が設置される。挿入された光ディスクＤは、ターンテーブル１１５上に位置し、ターンテーブル１１５によって回転する。光ピックアップは、ターンテーブル１１５に載置された光ディスクＤ上に記録された各種の情報を読む。光ディスクドライブ１１０を本体１００から延長及び突出させるための駆動装置１３０は、第１及び第２内部フレーム１１３、１１４の片側に設置される。
【００２５】
ドライブハウジング１４５は、箱状の第１ハウジング１１１及び第２ハウジング１１２を含む。第１ハウジング１１１は、一面が開口しており、第２ハウジング１１２は、第１ハウジング１１１の上部開口を覆う。また、ドライブハウジング１４５は、第１ハウジング１１１内に設置される第１内部フレーム１１３と、第１内部フレーム１１３を覆う第２内部フレーム１１４とを含む。
【００２６】
光ディスクドライブ１１０が壁掛け型テレビ２０の下方に設置され、光ディスク上方に突出する場合には、光ディスク再生装置１０は、光ディスクの突出長さを考慮して、壁掛け型テレビ２０から所定距離だけ離隔されるべきである。したがって、テレビまたは他の装置の下方に配置された場合には、光ディスク再生装置１０の設置位置が制限される。また、光ディスクドライブ１１０は、周囲空間に余裕がある場合には、異なるアクセス方法を実現するために、テレビ若しくは他の画像再生装置に隣接した領域、またはテレビ若しくは他の画像再生装置の上方に配置される場合がある。
【００２７】
光ディスクドライブが壁掛け型テレビの下方に配置された一の実施形態において、光ディスクドライブ１１０は、図３に示すように、本体１００に回転可能に設置され、本体１００から突出する。すなわち、光ディスクドライブ１１０の下端１０５が本体１００に回転可能に設置されることで、光ディスクドライブ１１０の上端１２５が前方に突出し、本体１００の前面２２０に対して垂直な状態で延在している。
【００２８】
このために、図４に示すように、駆動装置１３０は、回転力を発生させる駆動モーター１３１と、駆動モーター１３１によって回転する駆動ギア１３２と、本体１００の収容部１００ａの両側に設置される一対のカムギア１４０とを含む。カムギア１４０は、光ディスクドライブ１１０を回転させるために駆動ギア１３２と噛み合う歯を有する。駆動ギア１３２は、ドライブハウジング１１１、１１２の片側に減速のために設置された複数の減速ギア１３３を通して伝達された回転力によって回転する。また、カムギア１４０には、駆動ギア１３２と噛み合う歯を有するカム部１４１が設けられ、光ディスクドライブ１１０は、駆動ギア１３２とカムギア１４０との相互作用によって回転するので、本体１００から突出されること、及び本体１００内に収容されることが可能となる。
【００２９】
図３及び図４に示すように、光ディスクドライブ１１０が本体１００から突出する際、駆動ギア１３２は、収容部１００ａの外側に光ディスクドライブ１１０を突出させ、カムギア１４０及びカム部１４１を収容部１００ａ内に残す。さらに、駆動ギア１３２は、収容部１００ａに部分的に繋がっており、光ディスクドライブ１１０を回転させるための追加的なヒンジとして機能するので、光ディスクドライブ１１０を本体１００に対して開閉させることができる。
【００３０】
上述したように、光ディスクドライブ１１０が、回転することによって本体１００の前方に突出すると、光ディスク再生装置１０と壁掛け型テレビ２０との間における空間が不要となるので、光ディスク再生装置１０を容易に設置することができる。
【００３１】
さらに、光ディスクドライブ１１０が、回転することによって収容部１００ａから突出する際、第１及び第２ハウジング１１１、１１２の下端が本体１００によって支持されるため、光ディスクドライブ１１０の回転が制限される。したがって、一の実施形態においては、光ディスクドライブ１１０は、図２に示すように、前方に所定距離だけ移動し、光ディスクドライブ１１０の一部が収容部１００ａから突出する。その後、光ディスクドライブ１１０は、図３に示すように、収容部１００ａから所定の位置に回転され、これにより前方に突出する。
【００３２】
このために、図４及び図６に示すように、カムギア１４０に設けられたカム部１４１は、前後方向に延在し、光ディスクドライブ１１０の直線移動を案内する移動区間１４１ａと、移動区間１４１ａの前端から弧状に延長され、光ディスクドライブ１１０の回転を案内する移動区間１４１ｂとを含む。
【００３３】
さらに、光ディスクドライブ１１０をカムギア１４０内で前後移動及び回転させるために、図５に示すように、第１内部フレーム１１３の後端の両側には、カムギア１４０内で前後移動及び回転するヒンジ突起１１３ａと、ヒンジ突起１１３ａの前後移動に従動することによって、光ディスクドライブ１１０の前後移動及び回転を案内する案内突起１１３ｂ、１１３ｃとが形成されている。また、カムギア１４０には、前後方向に延び、ヒンジ突起１１３ａを前後移動及び回転させるヒンジ設置孔１４２と、案内突起１１３ｂ、１１３ｃの直線移動及び円周方向移動を案内する案内孔１４３、１４４とが形成される。本実施形態において、案内突起１１３ｂ、１１３ｃは、ヒンジ突起１１３ａの両側に形成され、案内孔１４３、１４４は、ヒンジ設置孔１４２の前方及び後方側に形成される。ヒンジ設置孔１４２及び案内孔１４３、１４４は、孔の連結により連続した不規則な形状のパターンを形成する。
【００３４】
案内孔１４３は、前後方向に延在し、案内突起１１３ｂ、１１３ｃの直線移動を案内する並進案内部１４３ａと、並進案内部１４３ａの前端から円周方向に延長され、案内突起１１３ｂ、１１３ｃの円周方向移動を案内する回転案内部１４３ｂとを含む。また、案内孔１４４は、前後方向に延在し、案内突起１１３ｂ、１１３ｃの直線移動を案内する並進案内部１４４ａと、並進案内部１４４ａの前端から円周方向に延長され、案内突起１１３ｂ、１１３ｃの円周方向移動を案内する回転案内部１４４ｂとを含む。したがって、案内突起１１３ｂ、１１３ｃが案内孔１４３、１４４を通り前方に移動した後に限り、光ディスクドライブ１１０が回転できるように、光ディスクドライブ１１０はカムギア１４０に設置される。
【００３５】
また、第１及び第２ハウジング１１１、１１２の下端が本体１００によって支持された状態で光ディスクドライブ１１０が回転されるようになっているので、第１及び第２ハウジング１１１、１１２は、第１及び第２内部フレーム１１３、１１４に移動可能に設置されている。このために、図４に示すように、第１ハウジング１１１には、第１及び第２ハウジング１１１、１１２が第１及び第２内部フレーム１１３、１１４に対して移動できるようにガイドピン１１６が設置され、第１内部フレーム１１３には、ガイドピン１１６の移動を案内するガイドスロット１１３ｄが形成されている。また、一端が第１内部フレーム１１３に設置され、他端が第１ハウジング１１１に設置された弾性部材１１７は、弾性部材１１７の弾性復原力によって前方に移動した第１及び第２ハウジング１１１、１１２を元の位置に復帰させるように設けられている。したがって、光ディスクドライブ１１０が一方向に回転し、水平方向に突出する際、第１及び第２ハウジング１１１、１１２が本体１００によって支持された後、第１及び第２ハウジング１１１、１１２が前方に突出し、光ディスクドライブ１１０は、ガイドピン１１６及びガイドスロット１１３ｄを通して所定角度だけ回転可能になる。
【００３６】
本実施例によると、第１ハウジング１１１が第１内部フレーム１１３に対して移動可能であり、第１及び第２ハウジング１１１、１１２は、第１及び第２内部フレーム１１３、１１４に対して移動可能になる。さらに、一対の支持突起１１８は、第１ハウジング１１１の下端に形成され、本体１００によって支持され、第１ハウジング１１１と本体１００との間の摩擦を減少させる。
【００３７】
以下、上記のように構成された本発明に係る光ディスク再生装置１０の動作を、図面を参照して詳細に説明する。
【００３８】
まず、図１に示すように、光ディスクドライブ１１０が収容部１００ａ内に収容された状態で、図６に示すように、ヒンジ突起１１３ａはヒンジ設置孔１４２の後端側に配置され、ヒンジ突起１１３ａの後方側に位置した案内突起１１３ｂの円周方向移動は、移動案内部１４３ａによって制限され、光ディスクドライブ１１０の回転が制限される。光ディスクドライブ１１０が収容部１００ａ内にあるとき、駆動ギア１３２はカム部１４１の上部に位置する。
【００３９】
このような状態で、駆動ギア１３２が駆動モーター１３１によって一方向に回転すると、図７に示すように、駆動ギア１３２がカム部１４１の移動区間１４１ａに沿って直線移動し、それに伴い光ディスクドライブ１１０が前方に移動し、図２に示すように、光ディスクドライブ１１０の一部は、本体１００の収容部１００ａから前方に突出する。さらに、光ディスクドライブ１１０の第１内部フレーム１１３に形成されたヒンジ突起１１３ａは、図７に示すように、ヒンジ設置孔１４２の前端に到達し、案内突起１１３ｂ、１１３ｃは、並進案内部１４３ａ、１４４ａの端に到達し、案内孔１４３、１４４の回転案内部１４３ｂ、１４４ｂに到達し、円周方向に移動可能になる。
【００４０】
駆動ギア１３２が一方向に継続的に回転すると、図８に示すように、駆動ギア１３２がカム部１４１の回転区間１４１ｂに沿って移動し、光ディスクドライブ１１０は、ヒンジ設置孔１４２の前端に位置したヒンジ突起１１３ａの周りに回転する。同時に、案内突起１１３ｂ、１１３ｃは、案内孔１４３、１４４の回転案内部１４３ｂ、１４４ｂに沿って移動し、光ディスクドライブ１１０は、図３に示すように、本体１００の収容部１００ａから前方に突出する。案内孔１４３、１４４には、案内突起１１３ｂ、１１３ｃが所定の距離だけ移動し、回転するように、並進案内部１４３ａ、１４４ａ及び所定の曲率を有する回転案内部１４３ｂ、１４４ｂが形成される。この所定の距離によって、光ディスクドライブ１１０は、回転した後に、ディスク挿入口１１０ａに容易にアクセス可能な状態になる。このような案内孔１４３、１４４の構造は、案内突起の所定の長さ以上の回転及び光ディスクドライブの過度な回転を防止する。このような状態で、光ディスクドライブ１１０の上端に形成されたディスク挿入口１１０ａが前方に位置するので、壁掛け型テレビ２０と光ディスク再生装置１０との距離とは関係なく、光ディスクＤを、ディスク挿入口１１０ａに容易に挿入、または取り出すことができる。
【００４１】
光ディスクＤがディスク挿入口１１０ａに完全に挿入された後、駆動モーター１３１または手動操作によって駆動ギア１３２が逆方向に回転し、光ディスクドライブ１１０は、上述した動作の逆順に動作することで収容部１００ａ内に収容される。そして、光ディスクＤをディスク挿入口１１０ａから取り出すときには、これと逆に動作し、光ディスクドライブは、モーター１３１が駆動ギア１３２によって後方側に移動する前に、図２に示した前方に突出した構造に戻る。その後に、光ディスクドライブの上面２１０は、本体１００の上面２２０と再び同一平面になる。
【符号の説明】
【００４２】
１０  光ディスク再生装置
２０  壁掛け型テレビ
１００  本体
１００ａ  収容部
１１０  光ディスクドライブ
１２０  スピーカー
１３０  駆動装置
１４０  カムギア
【図１】
2010067338.tif 000003
【図２】
2010067338.tif 000004
【図３】
2010067338.tif 000005
【図４】
2010067338.tif 000006
【図５】
2010067338.tif 000007
【図６】
2010067338.tif 000008
【図７】
2010067338.tif 000009
【図８】
2010067338.tif 000010